(57)【要約】【課題】  建物の外壁の塗布作業中に発生する化学物質の臭気を室内に滞留させることなく、室内外の空気を自由に換気でき、かつかつ室内外へ出入りが可能な窓用養生シートの提供。【解決手段】  建物の外壁の塗装作業時に窓を覆うために用いられる窓用養生シートであって、前記シートの少なくとも１箇所に、換気及び室内外への出入りを可能とする、開閉シートを有する開口部を形成する。【選択図】  図１
2005188145.tif 000002
【特許請求の範囲】
【請求項１】
建物の外壁の塗装作業時に窓を覆うために用いられる窓用養生シートであって、前記シートの少なくとも１箇所に、換気及び室内外へ出入りを可能とする、開閉シートを有する開口部が形成されていることを特徴とする窓用養生シート。
【請求項２】
前記開閉シートを前記開口部の外周枠の少なくとも一部に掛合することにより、前記開口部を閉塞可能とする請求項１に記載の窓用養生シート。
【請求項３】
前記開口部の少なくとも一部の外周枠に前記開閉シートを屈曲させて把持することにより、前記開口部を開口可能とする請求項１又は２に記載の窓用養生シート。
【請求項４】
前記開口部は、上下方向に開閉可能な開閉シートの上縁と前記開口部の上外枠とを連結するための上外枠部材と、
前記上外枠部材上に形成された、前記開口部を開口したときに前記開閉シートを前記上外枠部材において把持するための把持具と、
前記開閉シートの下縁に形成されている下縁部材と、
前記開口部の下外枠に形成された、前記下縁部材と掛合することにより前記開閉シートを閉塞可能とするための下外枠部材と、
前記下縁部材と前記下外枠部材とを固定するための第一の掛合部材と、
前記開閉シートの左縁及び右縁と前記開口部の左外枠及び右外枠とをそれぞれ固定するための第二の掛合部材とを備え、
前記開口部は、前記開口部を前記開閉シートで閉じた後、前記第一の掛合部材で前記下縁部と前記下外枠部材とを固定し、かつ前記第二の掛合部材で前記開閉シートの左右縁と前記開口部の左右外枠とを固定することにより閉塞可能であり、
前記第一の掛合部材及び第二の掛合部材による固定を解除した後、前記下縁部材を芯材として前記開閉シートを巻き上げて、前記開閉シートを把持具で把持することにより開口可能である請求項１〜３のいずれか一項に記載の窓用養生シート。
【請求項５】
前記開口部の縦幅が、窓用養生シートの縦幅の５０〜９５％の長さであり、かつ前記開口部の縦幅が、窓用養生シートの横幅の１０〜４５％の長さである請求項１〜４のいずれか一項に記載の窓用養生シート。
【請求項６】
前記第一の掛合部材が、少なくとも一組の固定用ピンと固定用リングとからなる請求項４又は５に記載の窓用養生シート。
【請求項７】
前記固定用ピンが、ピンの先端から末端に向かって略Ｖ字状に裂けており、かつピンの外周に少なくとも１組の凹部を有し、かつ前記固定用リングが内周縁に凸部を有し、前記固定用ピンと前記固定用リングとを掛合したときに、前記固定用ピンの凹部に前記固定用リングの凸部を嵌合することにより前記下縁部材と前記下外枠部材とを固定可能とする請求項６に記載の窓用養生シート。
【請求項８】
前記第二の掛合部材が、少なくとも一組のフック状の突起具とリング状の受け具とからなる請求項４〜７のいずれか一項に記載の窓用養生シート。
【請求項９】
シート部分が透明樹脂からなる請求項１〜８のいずれか一項に記載の窓用養生シート。
【請求項１０】
前記透明樹脂がポリエチレン、ポリプロピレン又は塩化ビニルである請求項９に記載の窓用養生シート。
【発明の詳細な説明】
【技術分野】
【０００１】
本発明は、一般住宅、集合住宅などの建物の外壁の塗装作業時に窓を覆うために用いられる窓用養生シートに関する。より詳しくは、本発明は、建物の外壁の塗装作業時に発生するシンナー等の化学物質の臭気が室内に滞留することのない、換気可能な窓用養生シートに関する。
【背景技術】
【０００２】
従来、建物の外壁の塗装作業を行う場合、例えば図１０に示すように、建物の外壁以外の場所に塗料が付着するのを防止する目的で、ビニールテープ類５１と養生シート５０を用いて窓を覆ってしまうのが一般的であった。しかし、窓を養生シート５０で完全に覆ってしまった場合には、塗装作業が完了するまでは、屋外と室内の空気の換気は不可能であった。
【０００３】
そのため、従来は、塗料から発生する化学物質（シンナー等）が室内に充満するため、塗装作業期間が終了するまで他の部屋への移動や生活を強いられるといった問題が指摘されていた。さらに、近年のペットブームにより、室内でペットを飼育する家庭も増えており、化学物質の臭いはペットを著しく衰弱させるため、作業中の化学物質の臭いを除去することは、ペットを飼育する上で大きな課題となっていた。
【０００４】
一方、例えば、病人やお年寄りがいる場合には、その部屋を移動することは困難であり、外壁の塗装作業期間中においてもその部屋で生活をしなければならない、このような場合、従来は、換気や屋外への出口を確保するために、一部の養生シートを取り外すか、あるいは一部を切断するなどの手段が採られていた。しかし、このような手段では、塗装作業時に取り外され又は破損した箇所に新しい養生シートを貼り直す必要があり、作業効率が低下すると同時に、余分な費用が発生するなどの問題があった。
【０００５】
このように従来から外壁の塗装作業時に換気が可能であり、かつ窓から屋外へ出入り可能な養生シートのニーズがあったが、塗装作業期間が比較的短いことと、作業効率及びコスト低減が最優先とされていたことから、そのような機能を有する窓用の養生シートはこれまでに開発されていない。
【特許文献１】特開２００２−１８０６７１号公報（請求項１、図１）
【発明の開示】
【発明が解決しようとする課題】
【０００６】
本発明は、上記課題を解決するためになされたものであり、本発明の目的は、建物の外壁の塗布作業中に発生する化学物質の臭気を室内に滞留させることなく、室内外の空気を自由に換気でき、かつ室内外へ出入りが可能な窓用養生シートの提供を目的とする。
【課題を解決するための手段】
【０００７】
本発明の目的は、建物の外壁の塗装作業時に窓を覆うために用いられる窓用養生シートであって、少なくとも１箇所に、換気及び室内外へ出入りを可能とする、開閉可能な開閉シートを有する開口部が形成されていることを特徴とする窓用養生シートにより達成される。
【０００８】
本発明の窓用養生シートは、前記開閉シートを前記開口部の外周枠の少なくとも一部に掛合することにより、前記開口部を閉塞できる。
【０００９】
本発明の窓用養生シートは、前記開口部の少なくとも一部の外周枠に前記開閉シートを屈曲させて把持することにより、前記開口部を開口できる。
【００１０】
本発明の窓用養生シートの開口部は、上下方向に開閉可能な開閉シートの上縁と前記開口部の上外枠とを連結するための上外枠部材と、前記上外枠部材に形成された、前記開口部を開口したときに前記開閉シートを前記上外枠部材において把持するための把持具と、前記開閉シートの下縁に形成されている下縁部材と、前記開口部の下外枠に形成された、前記下縁部材と掛合することにより前記開閉シートを閉塞可能とするための下外枠部材と、前記下縁部材と前記下外枠部材とを固定するための第一の掛合部材と、前記開閉シートの左縁及び右縁と前記開口部の左外枠及び右外枠とをそれぞれ固定するための第二の掛合部材とを備え、前記開口部は、開閉シートで前記開口部を塞いだ後、前記第一の掛合部材で前記開閉シートの下縁部と前記開口部の下外枠とを固定し、かつ前記第二の掛合部材で前記開閉シートと前記開口部の下外枠及び左右外枠とを固定することにより閉塞可能であり、かつ、前記第一の掛合部材及び第二の掛合部材の掛合を解除した後、前記下縁部材を芯材として前記開閉シートを巻き上げて、前記開閉シートを把持具で把持することにより開口できる。
【００１１】
本発明において、前記開口部の縦幅は、窓用養生シートの縦幅の５０〜９５％の長さであり、かつ前記開口部の縦幅は、窓用養生シートの横幅の１０〜４５％の長さであることが好ましい。
【００１２】
本発明において、前記第一の掛合部材は、少なくとも一組の固定用ピンと固定用リングとからなることが好ましい。
【００１３】
本発明において、前記固定用ピンは、ピンの先端から末端に向かって略Ｖ字状に裂けており、裂けたピンの外周に少なくとも１組の凹部を有し、前記固定用リングが内周縁に凸部を有し、前記固定用ピンと前記固定用リングとを掛合したときに、前記固定用ピンの凹部に前記固定用リングの凸部を嵌合することにより前記下縁部材と前記下外枠部材とを固定できることが好ましい。
【００１４】
本発明において、前記第二の掛合部材は少なくとも一組のフック状の突起具とリング状の受け具とからなることが好ましい。
【００１５】
本発明のシート部分は、透明樹脂からなることが好ましく、前記透明樹脂はポリエチレン、ポリプロピレン又は塩化ビニルであることが好ましい。
【発明の効果】
【００１６】
本発明の窓用養生シートは、少なくとも１箇所に、換気及び室内外へ出入りを可能とする、開閉シートを有する開口部が形成されている。これにより、本発明によれば、開閉シートを開閉して建物の外壁の塗装作業時に発生するシンナー等の化学物質の臭気を開口部から室外に廃棄できると同時に、屋外の新鮮な空気を室内に入れることができるため、人間はもちろんのこと、ペットも衰弱することなく健康を維持できる。さらに本発明の窓用養生シートは、第一及び第二の掛合部材で開閉シートと開口部とをしっかりと固定できるため、塗装作業中に風などにより誤って開閉シートが開いてしまうこともなく、安心して塗装作業を行える。さらに、本発明によれば、開口部を介して室内外の出入りが可能であるため、締め切ることによる精神的な苦痛もなく、例えば外壁塗装作業が休みのときに開口部からベランダや屋外に出て洗濯物を干すことができる。さらに、本発明によれば、外壁の塗装作業期間中であっても、換気又は室内外への出入りのために養生シートを取り外し又は破損させる必要はないため、作業効率が向上し、かつ余分な費用の発生を抑えることができる。
【発明を実施するための最良の形態】
【００１７】
以下に、図面を参照しながら本発明の窓用養生シートをさらに詳細に説明する。
図１は、本発明の好適な一実施例の窓用養生シートの閉塞時の概略正面図である。図２は、本発明の好適な一実施例の窓用養生シートの開口時の概略正面図である。図３は、本発明の好適な一実施例の把持具の拡大正面図（ａ）、I−I’における拡大断面図（ｂ）、把持具の使用状態説明図（ｃ）である。図４は、本発明の好適な一実施例の第一の掛合部材の使用状態説明図である。図５は、固定用ピンの別の態様を示す説明図である。図６は、本発明の好適な一実施例の固定用リングの拡大図（ａ）及びII−II’における断面図（ｂ）である。図７は、第一の掛合部材の好ましい態様の使用状態説明図である。図８は、本発明の好適な一実施例の第二の掛合部材の使用状態説明図である。図９は、本発明の好適な一実施例の第二の掛合部材の別の態様を示す説明図である。
【００１８】
図１に示すように、本発明の窓用養生シートは、窓用養生シートの少なくとも１箇所に換気及び室内外へ出入りを可能とする、開閉可能な開閉シート３を有する開口部２が形成されている。
【００１９】
本発明において、窓用養生シート本体１は、建物の窓を覆うために用いられるため、少なくとも塗装作業時に窓を覆うことができる大きさであれば特に限定されない。例えば、窓用養生シート本体１の大きさは、縦幅１８０〜２１０ｃｍ、横幅１８０〜３６０ｃｍとすることができる。また、窓用養生シート本体１の厚さは、塗装作業時に窓を保護するのに十分な強度を維持できれば、特に制限はないが、製造コストを抑える観点からはなるべく薄い方が好ましい。例えば、窓用養生シート本体１の厚さは０．０１〜０．０５ｍｍ、好ましくは０．０１〜０．０３ｍｍとすることができる。
【００２０】
養生用シート本体１は、外壁の塗装作業中に室内が暗くならないようにするため、光透過性素材で作製されていることが好ましい。そのような素材としては、例えば、ポリエチレン樹脂、ポリプロピレン樹脂、塩化ビニルなどが挙げられ、特に原料が安価であり、薄くても丈夫なポリエチレン樹脂を用いることが好ましい。
【００２１】
図１に示すように、開口部２は、窓用養生シート本体１上の少なくとも１箇所に形成されていればよく、窓用養生シートの大きさに応じて２箇所以上形成することもできる。開口部２は、窓を開けたときに開口部２を介して室内を換気でき、かつ出入りが可能となるように、開いた側の窓の位置に開口部２が来るような位置に形成することが好ましい。開口部２の大きさは、開口時に室内の空気の換気を十分行え、かつ開口部２から人が室内外へ出入りできる程度の大きさであることが好ましい。具体的には、開口部２の大きさは、例えば、開口部の縦幅が窓用養生シートの縦幅の５０〜９５％の長さであり、かつ前記開口部の縦幅が窓用養生シートの横幅の１０〜４５％の長さとすることができる。より具体的には、開口部２の縦幅を１００〜１７０ｃｍ、好ましくは１１０〜１５０ｃｍとし、横幅を４０〜９０ｃｍ、好ましくは５０〜８０ｃｍとすることができる。
【００２２】
開閉シート３は、開口部２で所定の方向（図１では上下方向）に開閉することができる。開閉シート３は、屈曲可能であり、開口部２の開口時に折り畳むか、あるいはロール状に巻くことができ、この状態で、開口部２の少なくとも一部の外周枠に把持させることができる。開閉シート３は、可撓性のある素材でできていることが好ましく、製造コスト及び製造のし易さの観点からは、窓用養生シート本体１と同一素材で形成されていることが好ましい。開閉シート３は、閉塞時に風などで開口部２が誤って開かないようにするため、開口部２の外周枠の少なくとも一部に掛合して固定できる。
【００２３】
図１及び図２に示すように、開口部２の上外枠には、開閉シート３の上縁と連結するための上外枠部材４を形成できる。上外枠部材４の横幅は、開口部２の横幅と同等以上であることが適当である。図１及び図２では、上外枠部材４は開口部２の横幅よりもやや大きいサイズ（開口部２の横幅より５〜１０ｃｍ大きいサイズ）で形成されている。また、上外枠部材４の縦幅は特に制限されず、例えば、図１及び２に示されるように１〜５ｃｍ程度であることが適当である。
【００２４】
上外枠部材４上には、開口部２を開口したときに、開閉シート３を把持するための把持具５を形成できる。把持具５は、開口時に上外枠部材４で開閉シート３を把持できれば、その構成は特に限定されない。例えば、図３（ａ）（ｂ）に示されるように、把持具５は、二組のフック５ａ、５ａ’とリング５ｂ、５ｂ’とで構成でき、開口時に屈曲させた開閉シート３をリング５ｂ、５ｂ’で束ねてフック５ａ、５ａ’に掛合することにより、上外枠部材４上で開閉シート３を把持できる（図３（ｃ））。
【００２５】
図１及び図２に示すように、開閉シート３は、閉塞時に開口部２の下外枠と掛合するための下縁部材６を開閉シート３の下縁に形成できる。下縁部材６は、開口部２を閉塞する際に、上外枠部材４から開閉シート３を下ろして、下外枠部材７と掛合できる。下縁部材６の横幅は、開口部２の横幅と同等以上であることが適当であり、例えば、図１及び２に示すように、開口部下外枠部材７の横幅と略同一であることが好ましい。下縁部材６の縦幅については特に制限はないが、大きすぎると、開口時に閉開シート３を折り畳み、あるいはロール状に巻き上げることが困難になるため、１〜５ｃｍ程度であることが好ましい。
【００２６】
図１及び図２に示すように、下外枠部材７は、開口部２の下外枠に形成され、開閉シート３の下縁部材６と掛合することにより開口部２を閉塞できる。下外枠部材７の横幅は、開口部２の横幅と同等以上であることが適当であり、例えば図１及び２に示すように、開口部２の横幅よりもやや大きいサイズ（開口部２の横幅より５〜１０ｃｍ大きいサイズ）であることが好ましく、下縁部材６と同一の長さにすることもできる。
【００２７】
図１及び図２に示すように、下縁部材６と下外枠部材７との掛合は、第一の掛合部材８、８’を用いて行われる。第一の掛合部材８、８’は、掛合可能な２つの部材で構成され、その一方は、開閉シート３の下縁部材６上に形成され、他方は開口部２の下外枠部材７上に形成される。第一の掛合部材８は、例えば、図４（ａ）に示すように、一組の固定用ピン８ａ、８ａ’と固定用リング８ｂ、８ｂ’で構成できる。
【００２８】
固定用ピン８ａ、８ａ’の形状は特に限定されず、例えば、図４に示されるような円柱状であってもよく、さらに図示していないが、先端がフック状に湾曲した形状であってもよい。固定用ピン８ａ、８ａ’の長さは、ピンの形状に応じて適宜決定される。例えば、固定用ピン８ａ、８ａ’が円柱状である場合には、風などで簡単に外れることがないように、３〜８ｃｍ、好ましくは４〜７ｃｍ、さらに好ましくは５〜６ｃｍ程度の長さとすることができる。また、固定用リング８ｂ、８ｂ’は、固定用ピン８ａ、８ａ’を掛合可能な形状及び大きさに設計することができる。固定用ピン８ａ、８ａ’及び固定用リング８ｂ、８ｂ’が設置される位置は、開閉シート３の下縁部材６を下外枠部材７に掛合した場合に、開閉シート３と開口部下外枠とが安定して固定されるよう、例えば、開口部２の下外枠の両端から１０〜２０ｃｍ程中心に向かった位置に設置できる。
【００２９】
図４に示すように、固定用ピン８ａ、８ａ’及び固定用リング８ｂ、８ｂ’を用いて開口部２を閉塞する場合、固定用ピン８ａ、８ａ’を固定用リング８ｂ、８ｂ’に嵌合することにより開閉シート３の下枠部材６と開口部下外枠部材７とを固定できる。
【００３０】
さらに、第一の掛合部材８、８’は、例えば図５〜７に示されように、ピンの先端から末端に向かって略Ｖ字状に裂けており、かつピンを固定用リングに段階的に固定可能とするための少なくとも１組の凹部８Ｘ、８Ｘ’を有する固定用ピン８ｃと、内周縁に凸部８Ｙを有する固定用リング８ｄを用いることもできる。
【００３１】
例えば図７に示すように、固定用ピン８ｃ及び固定用リング８ｄを用いて、開閉シート３により開口部２を閉塞する場合、固定用ピン８ｃのピンの部分を固定用リング８ｄに嵌合し、固定用ピン８ｃの凹部８Ｘ、８Ｘ’を固定用リング８ｄの凸部８Ｙに当接させた状態で開閉シート３の下縁部６を下外枠部材７に固定した状態で開口部２を閉塞できる。
【００３２】
図１及び図２に示すように、開口部２と開閉シート３との掛合は、さらに開閉シート３の左縁及び右縁と開口部２の左外枠及び右外枠とに形成されている第二の掛合部材９、９’を用いて行うことができる。第二の掛合部材９，９’は、掛合可能な２つの部材で構成され、その一方は、開閉シート３の左縁及び右縁上に形成され、他方は開口部２の左外枠及び右外枠上に形成される。第二の掛合部材構成は、掛合可能であれば、その形状、数、大きさは特に限定されない。例えば、図８に示すように、第二の掛合部材は、フック状の突起具９ａとリング状の受け具９ｂで構成することができる。突起具９ａと受け具９ｂとの掛合は、図８（ｂ）に示すように、突起具９ａのフック部９Ｖを受け具９ｂの開孔部９Ｗに引っ掛けることにより行われる。
【００３３】
さらに、第二の掛合部材９の別の態様として、例えば、図９に示すように、一方の突起具９ｃの先端部９Ｘを撓ませて他方の受け具９ｄの開孔部９Ｙに嵌合して掛合できる態様が挙げられる。
【００３４】
第二の掛合部材９、９’は、さらに図８及び図９には示さないが、例えば雄錠と雌錠とにより構成することもできる。また、第二の掛合部材９、９’は、筆用に応じて２組以上形成することもできる。
【００３５】
上外枠部材４、把持具５、下縁部材６、下外枠部材７、第一の掛合部材８、８’、第二の掛合部材９、９’は、耐久性のある素材で形成されていることが好ましい。そのような素材として、例えば、ポリエステル系樹脂、アクリル系樹脂、スチレン系樹脂、オレフィン系樹脂、ポリカーボネート系樹脂、ＡＢＳ樹脂、ポリプロピレン系樹脂、ポリアリレート系樹脂、塩化ビニル樹脂及びそれらの変性ポリマー、アロイ配合物などの熱可塑性樹脂板などが挙げられる。
【００３６】
次に、本発明の窓用養生シートにおける開口部２の閉塞方法及び開口方法について図面を参照しながら説明する。
【００３７】
図２及び図３に示すように、開口部２を閉塞する場合、ピン５ａ、５ａ’からリング５ｂ、５ｂ’を外して上外枠部材４における把持具５による把持を解除した後、開閉シート３を下外枠部材７の方向に下ろす。次いで、図４に示すように、下縁部材６の固定用ピン８ａ、８ａ’を下外枠部材７の固定用リング８ｂ、８ｂ’に嵌め込んで固定する。
【００３８】
固定用ピン８ａ、８ａ’が図５〜７の態様である場合には、固定用ピン８ｃの先端部を指で摘んで閉じた状態で固定用リング８ｄに嵌め込み、固定用ピン８ｃの凹部８Ｘ、８Ｘ’を固定用リング内周縁の凸部８Ｙに当接させた状態で固定する。
【００３９】
次いで、図１に示すように、開閉シート３の左右縁の突起具９ａ、９ａ’と開口部２の左右外枠の受け具９ｂ、９ｂ’とを掛合することにより開閉シート３の左右縁部分と開口部２の左右外枠部分とを固定する。第一の掛合部材が図９の態様である場合には、突起具９ｃ、９ｃ’の先端部９Ｘ、９Ｘ’を突起具側に指で押し込んだ状態で、受け具９ｄ、９ｄ’の開孔部９Ｙ、９Ｙ’に挿入し、その後、突起具の先端部から指を離せば、撓みにより先端部９Ｘ、９Ｘ’の窪みに開孔部９Ｙ、９Ｙ’が当接して突起具と受け具とを固定することができる。
【００４０】
なお、固定用ピン８ａ、８ａ’及び固定用リング８ｂ、８ｂ’による固定と、突起具９ａ、９ａ’と受け具９ｂ、９ｂ’による固定の順番は、必要に応じて、先ず突起具９ａ、９ａ’と受け具９ｂ、９ｂ’で固定し、次いで固定用ピン８ａ、８ａ’及び固定用リング８ｂ、８ｂ’で固定することもできる。
【００４１】
開口部２を開口する場合、図４に示すように、固定用リング８ｂ、８ｂ’から固定用ピン８ａ、８ａ’を抜き取り、下縁部材６と開口部下外枠部材７における固定を解除する。第一の掛合部材が図５〜７の態様である場合には、固定用ピン８ｃの先端を指で摘んだ状態で固定用リング８ｄから抜き取り、下縁部材６と開口部下外枠部材７における固定を解除する。
【００４２】
第二の掛合部材９、９’の固定を解除する場合、図８に示す第二の掛合部材では、突起部９ａ、９ａ’のフック部９Ｖ、９Ｖ’を受け具９ｂ、９ｂ’の開孔部９Ｗ、９Ｗ’から外すことにより固定を解除できる。さらに、第二の掛合部材が図９に示される態様である場合には、先端部９Ｘ、９Ｘ’を受け具９ｃ、９ｃ’側に押し込んだ状態で、開孔部９Ｙ、９Ｙ’から抜き取ることにより固定を解除できる。
【００４３】
開閉シート３の下縁及び左右縁と開口部下外枠及び左右外枠との固定を解除した後、例えば、図２に示すように、開閉シート３を下縁部材６を芯部として開孔部上外枠に向けて巻き上げることにより開口部２を開口できる。巻き上げられた開閉シート３は、上外枠部材４の把持具５により上外枠部材４上で把持できる。
【産業上の利用可能性】
【００４４】
本発明の窓用養生シートは、建物の外壁の塗装作業時に窓を覆うための養生シートとして最適であり、一般住宅や集合住宅の窓専用の養生シートとして利用できる。
【図面の簡単な説明】
【００４５】
【図１】本発明の好適な一実施例の窓用養生シートの閉塞時の概略正面図である。
【図２】本発明の好適な一実施例の窓用養生シートの開口時の概略正面図である。
【図３】本発明の好適な一実施例の把持具の拡大正面図（ａ）、I−I’における拡大断面図及び把持具の使用状態説明図（ｂ）である。
【図４】本発明の好適な一実施例の第一の掛合部材の使用状態説明図である。
【図５】固定用ピンの別の態様を示す説明図である。
【図６】本発明の好適な一実施例の固定用リングの拡大図（ａ）及びII−II’における断面図（ｂ）である。
【図７】第一の掛合部材の好ましい態様の使用状態説明図である。
【図８】本発明の好適な一実施例の第二の掛合部材の使用状態説明図である。
【図９】本発明の好適な一実施例の第二の掛合部材の別の態様を示す説明図である。
【図１０】従来の養生シートの使用態様説明図である。
【符号の説明】
【００４６】
１    窓用養生シート本体
２    開口部
３    開閉シート
４    上外枠部材
５    把持具
５ａ、ａ’  フック
５ｂ、ｂ’  リング
６    下縁部材
７    下外枠部材
８、８’  第一の掛合部材
８ａ、ａ’、ｃ、ｃ’  固定用ピン
８ｂ、ｂ’、ｄ、ｄ’  固定用リング
８Ｘ、Ｘ’  凹部
８Ｙ、Ｙ’  凸部
９、９’  第二の掛合部材
９ａ、ａ’、ｃ、ｃ’  突起具
９ｂ、ｂ’、ｄ、ｄ’  受け具
９Ｖ、Ｖ’  フック部
９Ｗ、Ｗ’  開孔部
９Ｘ、Ｘ’  先端部
９Ｙ、Ｙ’  開孔部
５０  養生シート
５１  ビニールテープ類
【図１】
2005188145.tif 000003
【図２】
2005188145.tif 000004
【図３】
2005188145.tif 000005
【図４】
2005188145.tif 000006
【図５】
2005188145.tif 000007
【図６】
2005188145.tif 000008
【図７】
2005188145.tif 000009
【図８】
2005188145.tif 000010
【図９】
2005188145.tif 000011
【図１０】
2005188145.tif 000012